(57)【要約】【課題】マナーモード設定した状態で机等に置いた場合は着信に伴う振動による騒音を自動的に抑制できる携帯電話機の提供。【解決手段】携帯電話機は、着信を音で報知する音報知部１１、着信を振動で報知する振動報知部１２、音報知部１１による音報知モードと振動報知部１２による振動報知モードのいずれかを設定する切換スイッチ１、ケース表面側に設けられて外光を検知する光センサ１４、ケース裏面側に設けられて異物体との接触を検知する接触センサ１５、光センサ１４からの光検知信号と接触センサ１５からの接触検知信号との双方が出力されたか否かを判別し、双方の検知信号が出力されたときは振動強度制御信号ＢＩを出力するセンサ出力判別部１６、及び振動報知モードが設定されているとき信号ＢＩに基づき振動モータ３の振動強度をレベルダウンさせる振動強度変更部１３を備える。【選択図】      図１
2008054283.tif 000002
【特許請求の範囲】
【請求項１】
着信を音で報知する音報知手段と、前記着信を振動で報知する振動報知手段と、前記音報知手段による音報知モードと前記振動報知手段による振動報知モードのいずれかを設定する報知モード選択制御手段とを有する携帯電話機であって、
ケース表面側に設けられて外光を検知する光センサと、ケース裏面側に設けられて異物体との接触を検知する接触センサと、前記光センサからの光検知信号と前記接触センサからの接触検知信号との双方が出力されたか否かを判別し、双方の検知信号が出力されたときは振動強度制御情報を出力するセンサ出力判別手段と、前記振動報知モードに設定された着信時において前記振動強度制御情報に基づき前記振動報知手段の振動強度をレベルダウンさせる振動強度変更手段とを備えて成ることを特徴とする携帯電話機。
【請求項２】
着信を音で報知する音報知手段と、前記着信を振動で報知する振動報知手段と、前記音報知手段による音報知モードと前記振動報知手段による振動報知モードのいずれかを設定する報知モード選択制御手段とを有し、本体ケースと蓋体ケースとをヒンジ結合した折り畳み式携帯電話機において、
前記蓋体ケースの外面側に設けられて外光を検知する光センサと、前記本体ケースの裏面側に設けられて異物体との接触を検知する接触センサと、前記光センサからの光検知信号と前記接触センサからの接触検知信号とを判別し、双方の検知信号の出力に応じて第１及び第２の制御情報を出力するセンサ出力判別手段と、着信時において前記第１の制御情報に基づき前記音報知手段及び前記振動報知手段の報知動作を不能化すると共に、前記第２の制御情報に基づき前記本体ケースに対して前記蓋体ケースを開動する蓋体駆動手段とを備えて成ることを特徴とする携帯電話機。
【発明の詳細な説明】
【技術分野】
【０００１】
本発明は、いわゆるマナーモード機能を備えた携帯電話機に関する。
【背景技術】
【０００２】
従来一般に、携帯電話機は、着信を音で報知するのみならず、マナーモード設定により振動で報知することができる。
【０００３】
特開２００３−４７０６２に開示の携帯電話機においては、加速度センサと振動センサとを設け、両センサから検出信号を組み合わせることにより動作モードを切換えることができるようになっている。
【特許文献１】特開２００３−４７０６２（図１）
【発明の開示】
【発明が解決しようとする課題】
【０００４】
携帯電話機をマナーモードに設定した状態で机に置いた場合などにあっては、着信があったときに発生する振動報知が机上を連続的に叩くことになるため、突然の不快音の発生により周囲の人たちに迷惑をかけてしまい、マナーモードの意義も薄れる。また、振動する携帯電話機が机上を移動して落下する恐れもある。
【０００５】
そこで上記問題点に鑑み、本発明の第１の課題は、マナーモード設定した状態で机等に置いた場合は着信に伴う振動による騒音を抑制できる携帯電話機を提供することにある。
【０００６】
本発明の第２の課題は、マナーモード設定した状態で机等に置いた場合は音報知又は振動報知以外で着信報知できる携帯電話機を提供することにある。
【課題を解決するための手段】
【０００７】
本発明の第１の手段は、着信を音で報知する音報知手段と、着信を振動で報知する振動報知手段と、音報知手段による音報知モードと振動報知手段による振動報知モードのいずれかを設定する報知モード選択制御手段とを有する携帯電話機であって、ケース表面側に設けられて外光を検知する光センサと、ケース裏面側に設けられて異物体との接触を検知する接触センサと、光センサからの光検知信号と接触センサからの接触検知信号との双方が出力されたか否かを判別し、双方の検知信号が出力されたときは振動強度制御情報を出力するセンサ出力判別手段と、振動報知モードに設定された着信時において振動強度制御情報に基づき振動報知手段の振動強度をレベルダウンさせる振動強度変更手段とを備えて成ることを特徴とする。
【０００８】
使用者が携帯電話機を振動報知モードに設定して机上に置いた場合、ケース表面側の光センサが室内照明等の外光を検知し、ケース裏面側の接触センサが机との接触を検知するため、光検知信号と接触検知信号とが共に出力し、センサ出力判別手段が振動強度制御情報を出力し、振動強度変更手段は振動強度制御情報に基づき振動報知手段の振動強度をレベルダウンさせる。ここで、着信のあった場合、振動報知手段が弱い振動を発生するため、机との間で生じる騒音を抑制でき、周囲の人たちに迷惑をかけずに済む。
【０００９】
本発明の第２の手段は、着信を音で報知する音報知手段と、着信を振動で報知する振動報知手段と、音報知手段による音報知モードと振動報知手段による振動報知モードのいずれかを設定する報知モード選択制御手段とを有し、本体ケースと蓋体ケースとをヒンジ結合した折り畳み式携帯電話機において、蓋体ケースの外面側に設けられて外光を検知する光センサと、本体ケースの裏面側に設けられて異物体との接触を検知する接触センサと、光センサからの光検知信号と接触センサからの接触検知信号とを判別し、双方の検知信号の出力に応じて第１及び第２の制御情報を出力するセンサ出力判別手段と、着信時において第１の制御情報に基づき音報知手段及び振動報知手段の報知動作を不能化すると共に、第２の制御情報に基づき本体ケースに対して蓋体ケースを開動する蓋体駆動手段とを備えて成ることを特徴とする。
【００１０】
使用者が携帯電話機を音報知モード又は振動報知モードに設定して机上に置いた場合、蓋体ケースの外面側の光センサが室内照明等の外光を検知し、本体ケースの裏面側の接触センサが机との接触を検知するため、光検知信号と接触検知信号とが共に出力し、センサ出力判別手段が第１及び第２の制御情報を出力し、着信時において第１の制御情報に基づき音報知手段及び振動報知手段の報知動作を不能化すると共に、蓋体駆動手段が第２の制御情報に基づき本体ケースに対して蓋体ケースを開動する。着信時においては、音報知もなくしかも振動報知もないため、机との間で生じる騒音を防止でき、周囲の人たちに迷惑をかけずに済むと共に、着信は蓋ケースの開き動作で知ることができ、手で蓋体ケースを開く手間を必要とせずに使用者が即対応できる。
【発明の効果】
【００１１】
本発明の第１の手段においては、マナーモード設定した状態で机等に置いた場合、着信に伴う振動による騒音を自動的に抑制できる。本発明の第２の手段においては、音報知や振動報知による迷惑を解消でき、手で蓋体ケースを開く手間を必要とせずに使用者が即対応できる。
【発明を実施するための最良の形態】
【００１２】
次に、本発明の実施形態を添付図面に基づいて説明する。
【実施例１】
【００１３】
図１は本発明の実施例１に係る携帯電話機の構成を示す機能ブロック図である。
【００１４】
本例の携帯電話機は、音報知部１１、振動報知部１２、報知モード選択手段として模式的に表わす切換スイッチ１、着信アンプ５、光センサ１４、接触センサ１５、センサ出力判別部１６、及び振動強度変更部１３を有している。
【００１５】
光センサ１４は携帯電話機本体のケース表面側に設けられ、外光を検知して光検知信号を出力する。接触センサ１５は携帯電話機本体のケース裏面側に設けられ、異物体との接触を検知して接触検知信号を出力する。センサ出力判別部１６は、光センサ１４からの光検知信号と接触センサ１５からの接触検知信号との双方が出力されたか否かを判別し、双方の検知信号が出力されたときはＨレベルの振動強度制御信号ＢＩを出力し、この信号ＢＩを第１のトランジスタ８が電流増幅する。
【００１６】
音報知部１１は、着信アンプ５から第１の電流制限抵抗１８を介した着信信号のベース電流でオンする第２のトランジスタ６と、接点ａからの給電電圧Ｖｃｃで鳴動するブザー２と、このブザー２に並列接続したノイズカット用ダイオード１７とを有する。
【００１７】
振動報知部１２は、接点ｂからの給電電圧Ｖｃｃと着信アンプ５から第２の電流制限抵抗１９を介した着信信号のベース電流でオンする第３のトランジスタ７と、例えばモータシャフトに偏心錘を取着した振動モータ３と、第１のトランジスタ８からの信号がＬレベルの場合にオン状態となって振動モータ３に給電するための第４のトランジスタ１０とを有する。
【００１８】
振動強度変更部１３は、第１のトランジスタ８からのＨレベルの振動強度制御信号ＢＩを第３の電流制限抵抗２０を介したベース電流でオンする第５のトランジスタ９と、電圧降下用ダイオード４とを有する。
【００１９】
（携帯電話機が音報知モードの場合）
切換スイッチ１を接点ａに切換えると、音報知モードに設定される。このモードにおいて、着信があると、着信アンプ５からの増幅した信号が第２のトランジスタ６のベースに印加して第２のトランジスタ６がオン状態となり、給電電圧Ｖｃｃがブザー２に供給されるため、着信期間中はブザー２が鳴動する。
【００２０】
（携帯電話機が振動報知モードの場合）
切換スイッチ１を接点ｂに切換えると、振動報知モード（マナーモード）に設定される。このモードにおいて、携帯電話機が机等の剛体上に置かれている場合、ケース表面側の光センサ１４が室内照明等の外光を検知し、ケース裏面側の接触センサ１５が机等との接触を検知するため、光検知信号と接触検知信号とが共に出力し、センサ出力判別部１６がＨレベルの振動強度制御信号ＢＩを出力するため、着信により第３のトランジスタ７がオンとなった際、第５のトランジスタ９がオン状態となり、第４のトランジスタ１０がオフ状態となり、振動モータ３に対する給電電圧は第４のトランジスタ１０の方がオンする場合に比して電圧降下用ダイオード４の電圧降下分だけ低く、振動モータ３は弱い振動を発生する。このため、机等との間で生じる騒音を抑制でき、周囲の人たちに迷惑をかけずに済む。
【００２１】
他方、携帯電話機がポケットやカバンの中に収納されている場合は、光センサ１４が外光を検知できない状態にあるか、或いは接触センサ１５が接触を検知できない状態にあるので、光検知信号と接触検知信号の双方が出力されないため、センサ出力判別部１６はＨレベルの振動強度制御信号ＢＩを出力しない。このため、第１のトランジスタ８からの信号がＬレベルであるので、着信により第３のトランジスタ７がオンとなった際、第４のトランジスタ１０はオン状態となり、第５のトランジスタ９はオフ状態となり、振動モータ３に対する給電電圧は第５のトランジスタ９の方がオンする場合に比して電圧降下用ダイオード４の電圧降下分だけ高く、振動モータ３は通常のマナーモードの振動力を発生し、従前と変らぬ振動報知機能を発揮する。
【実施例２】
【００２２】
図２は本発明の実施例２に係る携帯電話機の構成を示す機能ブロック図である。
【００２３】
本例の携帯電話機は、音報知部３１、振動報知部３２、報知モード選択手段として模式的に表わす切換スイッチ１、着信アンプ５、光センサ１４、接触センサ１５、センサ出力判別部３６、開動駆動部３７及び開動制御部３８を有している。
【００２４】
本例の携帯電話機は本体ケース（図示せず）と蓋体ケース（図示せず）とをヒンジ結合した折り畳み式携帯電話機である。光センサ１４は蓋体ケースの外面側に設けられ、外光を検知して光検知信号を出力する。接触センサ１５は本体ケースの裏面側に設けられ、異物体との接触を検知して接触検知信号を出力する。センサ出力判別部３６は、光センサ１４からの光検知信号と接触センサ１５からの接触検知信号の論理組み合わせにより後述する第１の制御信号Ｓ１と第２の制御信号Ｓ２を出力し、第１の制御信号Ｓ１は抵抗４１を介して第１のトランジスタ８で電流増幅される。
【００２５】
音報知部３１は、着信アンプ５から電流制限抵抗１８を介した着信信号のベース電流でオンする第２のトランジスタ６と、接点ａからの給電電圧Ｖｃｃで鳴動するブザー２と、このブザー２に並列接続したノイズカット用ダイオード１７とを有する。
【００２６】
振動報知部３２は、接点ｂからの給電電圧Ｖｃｃと着信アンプ５から電流制限抵抗１９を介した着信信号のベース電流でオンする第３のトランジスタ７と、例えばモータシャフトに偏心錘を取着した振動モータ３とを有する。
【００２７】
開動駆動部３７は、本体ケースと蓋体ケースを折り畳み自在とするヒンジ内に設けた小形モータ３３と、着信アンプ５からの着信増幅信号を電流制限抵抗３４を介したベース電流でオンする第４のトランジスタ３５とを有する。
【００２８】
開動制御部３８は、第２の制御信号Ｓ２の抵抗３９を介したベース電流でオンする第５のトランジスタ４０を有する。
【００２９】
切換スイッチ１を接点ａに切換えると音報知モードに設定され、切換スイッチ１を接点ｂに切換えると振動報知モード（マナーモード）に設定されるが、この切換スイッチ１の前段にトランジスタ８が介在し、このトランジスタ８は第１の制御信号Ｓ１でオン／オフできるため、着信時における音報知動作又は振動報知動作を不能化できるようになっている。
【００３０】
（光センサがオンで接触センサがオンの場合）
会議などにおいて携帯電話機を蓋体ケースを上側にした通常姿勢で机上に置いている場合に着信があったとき、外光により光センサ１４がオンで机との接触により接触センサ１５がオンであるため、センサ出力判別部３６は低レベルの第１の制御信号Ｓ１と数コール以上の比較的長い期間に亘り高レベルな第２の制御信号Ｓ２を出力する。このため、トランジスタ８はオフ状態となり、音報知動作又は振動報知動作は着信時で不能であるものの、トランジスタ４０が数コール以上の比較的長い期間に亘りオン状態となるので、小形モータ３３が駆動して蓋体ケースが本体ケースに対しゆっくり開動して全開する。
【００３１】
（光センサがオフで接触センサがオフの場合）
携帯電話機を蓋体ケースを下側にした姿勢で机上に置いている場合に着信があったとき、光センサ１４は外光を受けないのでオフであり、接触センサ１５は机と接触しないのでオフであるため、センサ出力判別部３６は低レベルの第１の制御信号Ｓ１と数コール以下の比較的短い期間に亘り高レベルな第２の制御信号Ｓ２を出力する。このため、トランジスタ８はオフ状態となり、音報知動作又は振動報知動作は着信時で不能であるものの、トランジスタ４０が数コール以下の比較的短い期間に亘りオン状態となるので、小形モータ３３が駆動して蓋体ケースが本体ケースに対しゆっくり開動して鋭角程度に半開する。
【００３２】
（光センサがオンで接触センサがオフの場合）
携帯電話機をそのストラップで吊り下げ外光下で携行している場合に着信があったとき、光センサ１４がオンであり、接触センサ１５がオフであるため、センサ出力判別部３６は高レベルの第１の制御信号Ｓ１と低レベルの第２の制御信号Ｓ２を出力する。このため、トランジスタ８はオン状態となり、給電電圧Ｖｃｃが音報知部３１又は振動報知部３２へ印加し、音報知動作又は振動報知動作となる。一方、低レベルの第２の制御信号Ｓ２によってトランジスタ４０はオフ状態となるため、小形モータ３３は駆動せず蓋体ケースは開かない。
【００３３】
（光センサがオフで接触センサがオンの場合）
携帯電話機をカバン等の入れている場合に着信があったとき、光センサ１４は外光を受けないのでオフであり、接触センサ１５はカバンや内容物と接触しているのでオンであるため、センサ出力判別部３６は高レベルの第１の制御信号Ｓ１と低レベルの第２の制御信号Ｓ２を出力する。このため、トランジスタ８はオン状態となり、給電電圧Ｖｃｃが音報知部３１又は振動報知部３２へ印加し、音報知動作又は振動報知動作となる。一方、低レベルの第２の制御信号Ｓ２によってトランジスタ４０はオフ状態となるため、小形モータ３３は駆動せず蓋体ケースは開かない。
【００３４】
本例のセンサ出力判別部３６では、２センサ入力が共に一致するとき第１の制御信号Ｓ１が低レベルで第２の制御信号Ｓ２が高レベルとなり、第２の制御信号Ｓ２の高レベル期間は２センサ入力が共にオンのときは共にオフのときのそれに比して長く設定されており、また２センサ入力が異なるとき第１の制御信号Ｓ１が高レベルで第２の制御信号Ｓ２が低レベルとなるようになっている。
【００３５】
このように、着信時においては、音報知もなくしかも振動報知もないため、机との間で生じる騒音を防止でき、周囲の人たちに迷惑をかけずに済むと共に、着信は蓋ケースの開き動作で視認でき、しかも手で蓋体ケースを開く手間を必要とせずに使用者が即対応できる。
【図面の簡単な説明】
【００３６】
【図１】本発明の実施例１に係る携帯電話機の構成を示す機能ブロック図である。
【図２】本発明の実施例２に係る携帯電話機の構成を示す機能ブロック図である。
【符号の説明】
【００３７】
１…切換スイッチ
２…ブザー
３…振動モータ
４…電圧降下用ダイオード
５…着信アンプ
６〜１０，３５，４０…トランジスタ
１１，３１…音報知部
１２，３２…振動報知部
１３…振動強度変更部
１４…光センサ
１５…接触センサ
１６、３６…センサ出力判別部
１７…ノイズカット用ダイオード
１８〜２０，３４，３９，４１…抵抗
３３…小形モータ
３７…開動駆動部
３８…開動制御部
ａ，ｂ…接点
ＢＩ…振動強度制御信号
Ｓ１…第１の制御信号
Ｓ２…第２の制御信号
Ｖｃｃ…給電電圧
【図１】
2008054283.tif 000003
【図２】
2008054283.tif 000004